(57)【要約】【課題】  使用する部品の数量を低減し、より高い組立て精度を有する映像合成装置及びそれを備えた液晶プロジェクタ装置を提供する。【解決手段】  上端面及び下端面の間に三つの入光面が位置する色合成プリズム５１と、色合成プリズムの上端面及び下端面に設けられた上部プリズム台５０１及び下部プリズム台５０２と、上部プリズム台及び下部プリズム台に設けられ、複数の第１接合部及び第２接合部を有する上部液晶パネルホルダー５８及び下部液晶パネルホルダー５９と、三つの液晶パネル５３ｂ、５３ｇ、５３ｒと、三つの液晶パネルがそれぞれ固定された三つの取付け部材であって、それぞれ色合成プリズムの三つの入光面に設けられて、対応する入光面側に分布する上部液晶パネルホルダーの第１接合部及び下部液晶パネルホルダーの第２接合部と互いに接合する三つの取付け部材５３とを備えた。【選択図】        図４
2009223283.tif 000002
【特許請求の範囲】
【請求項１】
三原色の光を三原色用の液晶パネルに照射して三原色の映像光を生成し、生成した三原色の映像光をカラー映像光に合成する映像合成装置において、
上端面及び該上端面に相対する下端面を有し、該上端面及び下端面の間に三つの入光面が位置する色合成プリズムと、
前記色合成プリズムの上端面に設けられた上部プリズム台と、
前記色合成プリズムの下端面に設けられた下部プリズム台と、
前記上部プリズム台に設けられ、複数の第１接合部を有する上部液晶パネルホルダーと、
前記下部プリズム台に設けられ、複数の第２接合部を有する下部液晶パネルホルダーと、
三つの液晶パネルと、
前記三つの液晶パネルがそれぞれ固定された三つの取付け部材であって、それぞれ前記色合成プリズムの三つの入光面に設けられて、対応する入光面側に分布する前記上部液晶パネルホルダーの第１接合部及び下部液晶パネルホルダーの第２接合部と互いに接合する三つの取付け部材とを備えたことを特徴とする映像合成装置。
【請求項２】
前記上部プリズム台は、第１枠部と、該第１枠部の四つの角部からそれぞれ延伸する四つの第１突出部とを有し、前記上部液晶パネルホルダーは該第１突出部と結合して前記上部プリズム台に設けられることにより、前記結合する部位が前記第１接合部に近づくことを特徴とする請求項１記載の映像合成装置。
【請求項３】
前記結合は、前記上部液晶パネルホルダーを貫通するネジと前記上部プリズム台の第１突出部のネジ孔との組合せによって実現されるものであることを特徴とする請求項２記載の映像合成装置。
【請求項４】
前記下部プリズム台は、第２枠部と、該第２枠部の四つの角部からそれぞれ延伸する四つの第２突出部とを有し、前記下部液晶パネルホルダーは該第２突出部と結合して前記下部プリズム台に設けられることにより、前記結合する部位が前記第２接合部に近づくことを特徴とする請求項１記載の映像合成装置。
【請求項５】
前記結合は、前記下部液晶パネルホルダーを貫通するネジと前記下部プリズム台の第２突出部のネジ孔との組合せによって実現されるものであることを特徴とする請求項４記載の映像合成装置。
【請求項６】
前記上部液晶パネルホルダーは、第１本体部と、該第１本体部の四つの角部からそれぞれ延伸する四つの第１腕部を備え、前記第１接合部は該四つの第１腕部の端部にそれぞれ設けられていることを特徴とする請求項１記載の映像合成装置。
【請求項７】
前記上部液晶パネルホルダーの第１本体部は、前記第１接合部に対してリデュース設計が成されていることを特徴とする請求項６記載の映像合成装置。
【請求項８】
前記下部液晶パネルホルダーは、第２本体部と、該第２本体部の四つの角部からそれぞれ延伸する四つの第２腕部を備え、前記第２接合部は該四つの第２腕部の端部にそれぞれ設けられていることを特徴とする請求項１記載の映像合成装置。
【請求項９】
前記下部液晶パネルホルダーの第２本体部は、前記第２接合部に対してリデュース設計が成されていることを特徴とする請求項８記載の映像合成装置。
【請求項１０】
前記上部液晶パネルホルダーの第１接合部と前記下部液晶パネルホルダーの第２接合部は、はんだ付け又は接着により前記液晶パネルの取付け部材と互いに接合することを特徴とする請求項１記載の映像合成装置。
【請求項１１】
三原色の光を三原色用の液晶パネルに照射して三原色の映像光を生成し、生成した三原色の映像光をカラー映像光に合成し、合成したカラー映像光を拡大投写する液晶プロジェクタ装置において、
前記請求項１〜請求項１０のいずれかに記載の映像合成装置を備えたことを特徴とする液晶プロジェクタ装置。
【発明の詳細な説明】
【技術分野】
【０００１】
本願発明はプロジェクタの分野に関し、特にその映像合成装置及び該映像合成装置を用いた液晶プロジェクタ装置に関する。
【背景技術】
【０００２】
近年、小型、軽量そして低コストの小型プロジェクタの開発が急速に発展し、プロジェクタ装置の重要部品である映像合成ユニット（映像合成装置）もまた、絶え間なく改良が進められている。
【０００３】
特許文献１で公開されている従来技術における映像合成ユニットについて、図８及び図９を参照すると、この従来技術においてはプロジェクタ装置の光学系２及び映像合成ユニット３が組み合わされている。このうちランプユニット４からの白色光は、第１インテグレータレンズ２１と、前段遮光格子２３と、第２インテグレータレンズ２２と、後段遮光格子２４と、偏光プリズム基板２５及び集光レンズ２０を経て、第１ダイクロイックミラー２６へと導かれる。
【０００４】
第１インテグレータレンズ２１及び第２インテグレータレンズ２２は耐熱ガラス製のフライアイレンズより構成され、ランプユニット４から発せられた白色光の照度分布を均一化する機能を有する。
【０００５】
前段遮光格子２３及び後段遮光格子２４はアルミニウム薄板製であり、偏光プリズム基板２５に対し不要な入射光を遮断する機能を有する。偏光プリズム基板２５を通過した光は、集光レンズ２０を経て第１ダイクロイックミラー２６へ到達する。
【０００６】
第１ダイクロイックミラー２６は光の青色成分のみを反射し赤色及び緑色成分を通過させる機能を有し、第２ダイクロイックミラー２７は光の緑色成分を反射し赤色成分を通過させる機能を有する。そして、フィールドミラー２８は、光の赤色成分を反射する機能を有している。
【０００７】
よって、ランプユニット４から発せられた白色光は、前記第１及び第２ダイクロイックミラー２６、２７により青色光、緑色光及び赤色光に分光され、映像合成ユニット３へと導かれる。
【０００８】
図９及び図１０に示すように、映像合成ユニット３は、立方体状の色合成プリズム３１と、上部プリズム台３０１及び下部プリズム台３０２から成って色合成プリズム３１を固定するプリズム台３０と、色合成プリズム３１の三つの側面にそれぞれ位置する青色用液晶パネル３３ｂ、緑色用液晶パネル３３ｇ及び赤色用液晶パネル３３ｒと、対応する液晶パネル３３ｂ、３３ｇ、３３ｒを固定する液晶パネルホルダー３８ｂ、３８ｇ、３８ｒとを備える。このうち、液晶パネルホルダー３８ｂ、３８ｇ、３８ｒはプリズム台３０で接合し、一体化された映像合成ユニット３として成る。
【０００９】
図８に示した第１ダイクロイックミラー２６及びフィールドミラー２９ａにより反射された青色光は集光レンズ３５ｂに導かれ、集光レンズ３５ｂ、青色入射偏光板３２ｂ、青色用液晶パネル３３ｂ及び青色出射偏光板３４ｂを経由し、色合成プリズム３１へと到達する。
【００１０】
第２ダイクロイックミラー２７により反射された緑色光は集光レンズ３５ｇに導かれ、フィールドレンズ３５ｇ、緑色入射偏光板３２ｇ、緑色用液晶パネル３３ｇ及び緑色出射偏光板３４ｇを経て、色合成プリズム３１へと到達する。
【００１１】
二枚のフィールドミラー２８、２９ｂによって反射された赤色光は集光レンズ３５ｒに導かれ、集光レンズ３５ｒ、赤色入射偏光板３２ｒ、赤色用液晶パネル３３ｒ及び赤色出射偏光板３４ｒを経て、色合成プリズム３１へと到達する。
【００１２】
色合成プリズム３１に導かれた三原色の映像光は、色合成プリズム３１によって合成され、これより得られたカラー映像光は投射レンズ３９を経て、前方のスクリーンに拡大投写される。
【００１３】
再度、図９及び図１０を参照すると、色合成プリズム３１は上部プリズム台３０１及び下部プリズム台３０２によって固定され、各液晶パネルホルダー３８ｂ、３８ｇ、３８ｒはそれぞれ上部プリズム台３０１及び下部プリズム台３０２に固定されている。
【００１４】
青色用液晶パネル３３ｂ、緑色用液晶パネル３３ｇ及び赤色用液晶パネル３３ｒは、それぞれ三つの取付け部材３７にネジにより固定されている。三つの取付け部材３７と各液晶パネルホルダー３８ｂ、３８ｇ、３８ｒは、集光や焦点合わせの調整が完成した後、はんだ付けによってそれぞれ固定される。
【特許文献１】中国実用新案第２００６２０１３３２７８．７号
【発明の開示】
【発明が解決しようとする課題】
【００１５】
しかしながら、上記プリズム台３０と液晶パネルホルダー３８ｂ、３８ｇ、３８ｒとの間の接合は、複数のネジ３８０１が液晶パネルホルダー３８ｂ、３８ｇ、３８ｒの孔（図示せず）を貫通し、さらにプリズム台３０の対応するネジ孔（図示せず）のネジ山と接合することにより実現されるものであったが、このようなプリズム台３０と液晶パネルホルダー３８ｂ、３８ｇ、３８ｒとの接合関係は以下の点において、まだ不十分であった。
【００１６】
まず、各液晶パネルホルダー３８ｂ、３８ｇ、３８ｒは上部プリズム台３０１及び下部プリズム台３０２の二つの側面に同時に組み立てられる必要があり、これは組立面をより多くし、精度に誤差をもたらすことになった。よって、液晶パネルホルダーの組立時に変形が起こり、集光に影響を与えることにつながった。
【００１７】
次に、図１０で示す液晶パネルホルダー３８ｂ、３８ｇ、３８ｒの構造において、液晶パネルホルダー３８ｂ、３８ｇ、３８ｒの各はんだ接合部３８０は液晶パネルホルダー３８ｂ、３８ｇ、３８ｒを固定するネジ３８０１より遠く離れている。はんだ接合部３８０はネジ３８０１を支点として変形するが、このような遠い距離にある場合、変形が生じやすく且つ変形の度合いもまたより大きなものとなる。よって、はんだ接合部の大きな変形は、集光に対し直接的な影響を与えることになった。
【００１８】
さらに、プリズム台３０の三つの側面上に固定された三つの液晶パネルホルダー３８ｂ、３８ｇ、３８ｒもまた、映像合成ユニット３の重量及びコストの増加をもたらすことになった。
【００１９】
よって、上述した欠点を克服した映像合成ユニット（映像合成装置）及びそれを備えた液晶プロジェクタ装置の提供が必要となった。
【００２０】
そこで、本願発明の目的は、使用する部品の数量を低減し、より高い組立て精度を有する映像合成装置及びそれを備えた液晶プロジェクタ装置を提供することである。
【課題を解決するための手段】
【００２１】
本願の請求項１に記載の発明は、三原色の光を三原色用の液晶パネルに照射して三原色の映像光を生成し、生成した三原色の映像光をカラー映像光に合成する映像合成装置において、上端面及び該上端面に相対する下端面を有し、該上端面及び下端面の間に三つの入光面が位置する色合成プリズムと、前記色合成プリズムの上端面に設けられた上部プリズム台と、前記色合成プリズムの下端面に設けられた下部プリズム台と、前記上部プリズム台に設けられ、複数の第１接合部を有する上部液晶パネルホルダーと、前記下部プリズム台に設けられ、複数の第２接合部を有する下部液晶パネルホルダーと、三つの液晶パネルと、前記三つの液晶パネルがそれぞれ固定された三つの取付け部材であって、それぞれ前記色合成プリズムの三つの入光面に設けられて、対応する入光面側に分布する前記上部液晶パネルホルダーの第１接合部及び下部液晶パネルホルダーの第２接合部と互いに接合する三つの取付け部材とを備えたことを特徴とする。
【００２２】
請求項２に記載の発明は、前記請求項１記載の映像合成装置において、前記上部プリズム台は、第１枠部と、該第１枠部の四つの角部からそれぞれ延伸する四つの第１突出部とを有し、前記上部液晶パネルホルダーは該第１突出部と結合して前記上部プリズム台に設けられることにより、前記結合する部位が前記第１接合部に近づくことを特徴とする。
【００２３】
請求項３に記載の発明は、前記請求項２記載の映像合成装置において、前記結合は、前記上部液晶パネルホルダーを貫通するネジと前記上部プリズム台の第１突出部のネジ孔との組合せによって実現されるものであることを特徴とする。
【００２４】
請求項４に記載の発明は、前記請求項１記載の映像合成装置において、前記下部プリズム台は、第２枠部と、該第２枠部の四つの角部からそれぞれ延伸する四つの第２突出部とを有し、前記下部液晶パネルホルダーは該第２突出部と結合して前記下部プリズム台に設けられることにより、前記結合する部位が前記第２接合部に近づくことを特徴とする。
【００２５】
請求項５に記載の発明は、前記請求項４記載の映像合成装置において、前記結合は、前記下部液晶パネルホルダーを貫通するネジと前記下部プリズム台の第２突出部のネジ孔との組合せによって実現されるものであることを特徴とする。
【００２６】
請求項６に記載の発明は、前記請求項１記載の映像合成装置において、前記上部液晶パネルホルダーは、第１本体部と、該第１本体部の四つの角部からそれぞれ延伸する四つの第１腕部を備え、前記第１接合部は該四つの第１腕部の端部にそれぞれ設けられていることを特徴とする。
【００２７】
請求項７に記載の発明は、前記請求項６記載の映像合成装置において、前記上部液晶パネルホルダーの第１本体部は、前記第１接合部に対してリデュース設計が成されていることを特徴とする。
【００２８】
請求項８に記載の発明は、前記請求項１記載の映像合成装置において、前記下部液晶パネルホルダーは、第２本体部と、該第２本体部の四つの角部からそれぞれ延伸する四つの第２腕部を備え、前記第２接合部は該四つの第２腕部の端部にそれぞれ設けられていることを特徴とする。
【００２９】
請求項９に記載の発明は、前記請求項８記載の映像合成装置において、前記下部液晶パネルホルダーの第２本体部は、前記第２接合部に対してリデュース設計が成されていることを特徴とする。
【００３０】
請求項１０に記載の発明は、前記請求項１記載の映像合成装置において、前記上部液晶パネルホルダーの第１接合部と前記下部液晶パネルホルダーの第２接合部は、はんだ付け又は接着により前記液晶パネルの取付け部材と互いに接合することを特徴とする。
【００３１】
請求項１１に記載の発明は、三原色の光を三原色用の液晶パネルに照射して三原色の映像光を生成し、生成した三原色の映像光をカラー映像光に合成し、合成したカラー映像光を拡大投写する液晶プロジェクタ装置において、前記請求項１〜請求項１０のいずれかに記載の映像合成装置を備えたことを特徴とする。
【発明の効果】
【００３２】
本願発明は以下の有益な効果を有する。すなわち、各液晶パネルホルダーは、それぞれ独立して個別のプリズム台に固定される。それぞれの組立面は一つのみであるため、従来の二つもしくは二つ以上の組立面との間の精度誤差がもたらす液晶パネルホルダーの変形による集光への影響を回避することができる。さらに、上下の組立方式を用いるため、液晶パネルホルダーの数が従来の三つより二つへと減少し、映像合成装置の重量を軽減すると共に、コストを低下させることができる。
【発明を実施するための最良の形態】
【００３３】
以下、本願発明の液晶プロジェクタ装置及びその関連部品について、図面と共に具体的に説明する。以下の説明において、図１に示す液晶プロジェクタ装置の映像投写方向を前方とし、液晶プロジェクタ装置の前方に向かって左右を規定する。さらに、本文中で使用されている“後方”“底部”“側方”等の用語は相対的・例示的であるため、プロジェクタ装置の異なる使用方法及び設置方式によって変更することができるものとする。
【００３４】
図１を参照すると、本願発明の液晶プロジェクタ装置は上半ケース１１及び下半ケース１２から成るケーシング１を備えている。該ケーシング１の表面には複数の操作ボタンを含む操作部１５が配置され、ケーシング１の前面には投射窓１３が設けられている。
【００３５】
図２を参照すると、ケーシング１の側方表面には排気口６１１及び電源ソケット２０５が設けられている。また、ケーシング１の後方表面には排気口６３１及びコンピュータと接続するためのＤ−ＳＵＢ端子と、入力端子等の各種外部入力端子とを複合した端子ユニット２５１を配置している。
【００３６】
上記端子ユニット２５１の各入力端子の名称は、外観の成形に際し金属鋳型を用いて形成することができ、例えば端子名が“ＡＵＤＩＯ”であれば、対応する外観面に文字を彫ることで容易に識別できるようになる。よって、外観面に文字を印刷する方法を用いる必要がなく、生産効率を高め、且つコスト低減を図ることが可能である。
【００３７】
図３に示すように、ケーシング１の内部には、略Ｌ字状に延伸する合成樹脂製の光学エンジン７が配置されている。該光学エンジン７の内部には、光源と成るランプユニット４と、該ランプユニット４から発せられた白色光を三原色の光に分離する光学系（図８の光学系２と類似）と、該三原色の光を三原色用の液晶パネルに照射して三原色の映像光を生成し、生成した三原色の映像光をカラー映像光に合成する映像合成ユニット（映像合成装置）５とが配置されている。
【００３８】
ランプユニット４は光学エンジン７の左端部に、映像合成ユニット５は光学エンジン７の前方端部にそれぞれ収容され、光学系はランプユニット４から映像合成ユニット５へと至る光学エンジン７内の光路上に配置されている。
【００３９】
また、光学エンジン７の前方端縁には投射レンズ５９を保持する筒体５９ａの基端部が連結されている。さらに、ケーシング１の内部には投射レンズ５９の左側方に電源装置９が設置されている。
【００４０】
以下、本願発明における液晶プロジェクタ装置の映像合成ユニット５について詳細に説明する。
【００４１】
図４〜図７に示すように、映像合成ユニット５は、立方体状の色合成プリズム５１と、上部プリズム台５０１及び下部プリズム台５０２から成って色合成プリズム５１を固定するプリズム台５０と、色合成プリズム５１の三つの側面（全て入光面）にそれぞれ位置し、複数のネジ５５（本実施形態では三本のネジ５５）を用いて、それぞれ三つの取付け部材５３に固定されている青色用液晶パネル５３ｂ、緑色用液晶パネル５３ｇ及び赤色用液晶パネル５３ｒ（図７参照）と、緑色用液晶パネル５３ｇと色合成プリズム５１との間に位置する緑色前置偏光板５４ｇ及び青色用液晶パネル５３ｂと色合成プリズム５１との間に位置する青色前置偏光板５４ｂと、各液晶パネル５３ｂ、５３ｇ、５３ｒを固定する上部液晶パネルホルダー５８及び下部液晶パネルホルダー５９とを備える。このうち、上部液晶パネルホルダー５８と下部液晶パネルホルダー５９はそれぞれプリズム台５０の上部プリズム台５０１と下部プリズム台５０２に接合されて、一体化された映像合成ユニット５として成る。
【００４２】
図４を参照すると、前記上部プリズム台５０１は方形枠部５０１１と、該方形枠部５０１１の四つの角部よりそれぞれ延伸する四つの突出部５０１５を備えている。前記方形枠部５０１１は、青色用液晶パネル５３ｂ及び緑色用液晶パネル５３ｇと相対する二つの側面にそれぞれネジ孔５０１２と、二つの位置決めピン５０１３を有し、該二つの位置決めピン５０１３は前記ネジ孔５０１２の両側に位置する。
【００４３】
前記方形枠部５０１１と色合成プリズム５１が相対する表面には複数の突出する接合面（下部プリズム台５０２上の接合面５０１４と類似）を有している。各突出部５０１５は色合成プリズム５１から離れた一方の側にネジ孔５０１６と位置決めピン５０１７を有し、該ネジ孔５０１６は位置決めピン５０１７に比べ、方形枠部５０１１よりさらに遠く離れている。前記下部プリズム台５０２は、その方形枠部の側面にネジ孔及び位置決めピンを有していないこと以外、その他の構造において上部プリズム台５０１とほぼ同一であるため、ここでは詳述しない。
【００４４】
図５を具体的に参照すると、上部液晶パネルホルダー５８は四角の枠形をした本体部５８１と、この本体部５８１の四つの角部よりそれぞれ延伸する四つの腕部５８１８と、該四つの腕部５８１８の端部にそれぞれ設けられた、はんだ接合部５８１９を備える。該はんだ接合部５８１９の数は、上部液晶パネルホルダー５８の三つの側全てが液晶パネル取付け部材５３と互いに接合できるように設置されている（例えば、上部液晶パネルホルダー５８は六つのはんだ接合部５８１９を有し、該上部液晶パネルホルダー５８の三つの側の各側全てに二つのはんだ接合部５８１９を分布させている）。
【００４５】
前記本体部５８１の中間部分は空洞であり、はんだ接合部５８１９に対してリデュース設計となっている。例えば、前記本体部５８１は前記はんだ接合部５８１９よりも断面のサイズが小さく、各腕部５８１８は位置決めピン５０１７（図４参照）とぴったりと組み合わさる孔５８１７を有し、さらにネジ５８０２（図４参照）が貫通する孔５８１６を有している。下部液晶パネルホルダー５９の構造は上述した上部液晶パネルホルダー５８とほぼ同一、又は完全に同一とすることが可能であるため、ここでは詳述しない。
【００４６】
図４〜図７を参照して、前記映像合成ユニット５の組立方式について以下に述べる。
【００４７】
まず、色合成プリズム５１は上部プリズム台５０１と下部プリズム台５０２によって固定することができる。具体的には、色合成プリズム５１は上下端面により、プリズム台５０を構成する上部プリズム台５０１及び下部プリズム台５０２の対応する接合面５０１４とそれぞれ接合する。上記接合面５０１４と色合成プリズム５１との接合方式には紫外線硬化型接着剤によるＵＶ接着を用いることができる。ここで言及する必要があるのは、接合面５０１４の具体的な分布方式及びサイズについて、状況に応じて調整することが可能であるという点である。
【００４８】
ネジ５８０１は青色前置偏光板５４ｂの取付け部材５４上の孔（図示せず）を貫通し、上部プリズム台５０１のネジ孔５０１２とぴったり組み合わさると同時に、位置決めピン５０１３は青色前置偏光板５４ｂの取付け部材５４上の対応する孔とぴったり組み合わさる。これにより、青色前置偏光板５４ｂの取付け部材５４は上部プリズム台５０１に固定される。同様に、緑色前置偏光板５４ｇの取付け部材５４もまた、上部プリズム台５０１に固定される。
【００４９】
次に、上部液晶パネルホルダー５８を上部プリズム台５０１上に配置し、上部液晶パネルホルダー５８の孔５８１７に上部プリズム台５０１の位置決めピン５０１７を貫通させる。さらに、ネジ５８０２を上部液晶パネルホルダー５８の孔５８１６に貫通させ、上部プリズム台５０１上のネジ孔５０１６とぴったりと組み合わせる。こうして、上部液晶パネルホルダー５８は上部プリズム台５０１に固定される。同様にして、下部液晶パネルホルダー５９もまた、下部プリズム台５０２に固定される。
【００５０】
さらに、青色用液晶パネル５３ｂの取付け部材５３の四つのはんだ接合部５３０を、それぞれ上部液晶パネルホルダー５８と下部液晶パネルホルダー５９の同じ側の四つのはんだ接合部５８１９に固定する。該液晶パネル５３ｂの取付け部材５３及び上部液晶パネルホルダー５８と下部液晶パネルホルダー５９は通常、集光や焦点合わせの調整を経た後、はんだ付けによって固定する（接着剤による固定も、当然可能である）。同様にして、緑色用液晶パネル５３ｇ及び赤色用液晶パネル５３ｒもまた、上部液晶パネルホルダー５８と下部パネルホルダー５９に固定される。
【００５１】
本願発明が提供する映像合成ユニットは次の有益な効果を有する。
【００５２】
第一に、各液晶パネルホルダーは、それぞれ独立して個別のプリズム台に固定される。それぞれの組立面は一つのみであるため、従来の二つもしくは二つ以上の組立面との間の精度誤差がもたらす液晶パネルホルダーの変形による集光への影響を回避することができる。
【００５３】
第二に、上下の組立方式を用いるため、液晶パネルホルダーの数が従来の三つより二つへと減少し、映像合成ユニットの重量を軽減すると共に、コストを低下させることができる。
【００５４】
さらには、ネジ固定部（液晶パネルホルダーを固定するためのネジ）がプリズム台の突出部に設けられているため、ネジ固定部がはんだ接合部により近づき、はんだ接合部の支点が変形する可能性、及びその変形の度合いを大幅に減少することができる。
【００５５】
本願発明の上記改良構造を取り入れず、同様のプリズムユニット構造を用いて４０℃／９０％の倉庫で環境試験を行うと仮定すると、その画面中心での集光は０．８〜１ピクセル以上の変位を生じるが、本願発明を取り入れれば、画面中心での変位を０．３ピクセル以下に抑えられることが実験により証明された。
【００５６】
上記で参照した図面は本願発明の実施例を説明したものであり、本願発明の実質及び範囲から外れない限り、本分野の技術者は各種形式上の修正及び変更を行うことができるものとするが、上記は全て本願発明の保護範囲に属するものとする。
【図面の簡単な説明】
【００５７】
実施例を通じ、本願発明をより具体的に説明するため、図面を参考にすることができる。尚、図面はスケールに基づき制作されたものではない。
【図１】本願発明の実施例における液晶プロジェクタ装置の斜視図である。
【図２】図１で示す液晶プロジェクタ装置を別の視点から見た斜視図である。
【図３】本願発明の実施例における液晶プロジェクタ装置の上半ケースを取り外した後の斜視図である。
【図４】本願発明の実施例における液晶プロジェクタ装置の映像合成ユニットの分解斜視図である。
【図５】図４で示す液晶パネルホルダーの斜視図である。
【図６】図４で示す映像合成ユニットにおけるプリズム、プリズム台及び液晶パネルホルダーの組立斜視図である。
【図７】本願発明の実施例における液晶プロジェクタ装置の映像合成ユニットの組立斜視図である。
【図８】従来技術における液晶プロジェクタ装置の光学系及び映像合成ユニットの平面図である。
【図９】図８で示す光学系における映像合成ユニットの斜視図である。
【図１０】図８で示す映像合成ユニットにおけるプリズム、プリズム台及び液晶パネルホルダーの斜視図である。
【符号の説明】
【００５８】
５  映像合成ユニット（映像合成装置）
５０  プリズム台
５０１  上部プリズム台
５０２  下部プリズム台
５１  色合成プリズム
５３  取付け部材
５３ｂ  青色用液晶パネル
５３ｇ  緑色用液晶パネル
５３ｒ  赤色用液晶パネル
５８  上部液晶パネルホルダー
５９  下部液晶パネルホルダー
【図１】
2009223283.tif 000003
【図２】
2009223283.tif 000004
【図３】
2009223283.tif 000005
【図４】
2009223283.tif 000006
【図５】
2009223283.tif 000007
【図６】
2009223283.tif 000008
【図７】
2009223283.tif 000009
【図８】
2009223283.tif 000010
【図９】
2009223283.tif 000011
【図１０】
2009223283.tif 000012